(57)【要約】【課題】眼鏡レンズの係止溝が適正に形成されているか否かを簡単かつ的確に検査することができる眼鏡レンズ用溝検査具を提供する。【解決手段】眼鏡レンズ用溝検査具１は、眼鏡レンズ２のコバ面３に形成されている係止溝４の溝幅ｗと略同一の線径ｄを有する検査用細線５と、この検査用細線５を緊張した状態で支持する細線支持体６とで構成されている。細線支持体６は、適宜太さの線材を折り曲げて形成することにより、Ｕ字状の把持部６Ａと、この把持部６Ａの両端に対設された左右一対の支持部６Ｂ、６Ｃとで構成され、両支持部６Ｂ、６Ｃの先端間に検査用細線５が緊張した状態で張設されている。把持部６Ａは、強く把持されると二点鎖線で示すように内側に弾性変形し、これによって検査用細線５を弛ませることができる。【選択図】  図１
2009109851.tif 000002
【特許請求の範囲】
【請求項１】
眼鏡レンズのコバ面に形成されている係止溝と略同一の線径を有する検査用細線と、この検査用細線を緊張した状態で支持する細線支持体とを備えたことを特徴とする眼鏡レンズ用溝検査具。
【請求項２】
請求項１記載の眼鏡レンズ用溝検査具において、
前記検査用細線は、眼鏡レンズとは異なった色に着色されていることを特徴とする眼鏡レンズ用溝検査具。
【請求項３】
請求項１または２記載の眼鏡レンズ用溝検査具において、
前記細線支持体は、１本の線材の折り曲げによって形成されることにより、把持部と、検査用細線の各端部をそれぞれ支持する一対の支持部とを備えていることを特徴とする眼鏡レンズ用溝検査具。
【請求項４】
請求項３記載の眼鏡レンズ用溝検査具において、
前記細線支持体は、把持圧によって変形することにより前記一対の支持部の間隔が狭められることを特徴とする眼鏡レンズ用溝検査具。
【請求項５】
請求項１〜４のうちのいずれか一項に記載の眼鏡レンズ用溝検査具において、
前記細線支持体は、焦点が検査用細線の検査部位に一致するルーペを備えていることを特徴とする眼鏡レンズ用溝検査具。
【請求項６】
請求項１〜５のうちのいずれか一項に記載の眼鏡レンズ用溝検査具において、
前記検査用細線は、各端部に接続部材が取付けられており、この接続部材を介して細線支持体の支持部に着脱可能に装着されることを特徴とする眼鏡レンズ用溝検査具。
【請求項７】
請求項１〜６のうちのいずれか一項に記載の眼鏡レンズ用溝検査具において、
前記細線支持体は、線径の異なる複数本の検査用細線が装着されていることを特徴とする眼鏡レンズ用溝検査具。
【請求項８】
請求項１〜７のうちのいずれか一項に記載の眼鏡レンズ用溝検査具において、
前記細線支持体は、検査用細線を映すミラーを備えていることを特徴とする眼鏡レンズ用溝検査具。
【発明の詳細な説明】
【技術分野】
【０００１】
本発明は、眼鏡レンズの係止溝を検査する眼鏡レンズ用溝検査具に関するものである。
【背景技術】
【０００２】
眼鏡のフレームデザインは、レンズの全周をリムが囲むフルリムタイプや、レンズを直接ネジ止めするリムレス（ツーポイント）タイプや、リムによってレンズの下側や上側を部分的に囲むハーフリム（ナイロール）タイプがある。ハーフリムタイプの眼鏡フレームでは、レンズの一部をリムで支持し、リムが無い領域では透明なナイロン糸、金線等の細い線材（以下、細線という）によって支持している（例えば、特許文献１、２参照）。
【０００３】
このため、ハーフリムフレーム用の眼鏡レンズの周面（コバ面）には、細線を係止するための係止溝が全周、または少なくとも細線によって支持される領域に形成されている。
【０００４】
眼鏡レンズの係止溝は、断面形状がＵ字状で、溝幅ｗと略等しい深さを有し、眼鏡レンズの全周にわたって形成されている。係止溝４の溝幅ｗは０．６ｍｍが主流である。この他、０．５ｍｍ、０．４ｍｍ等がある。溝幅が０．６ｍｍの場合の溝深さは、日本では０．３５ｍｍ程度、欧米では０．６ｍｍ程度である。係止溝に細線をきちっと係入するには、細線の半径以上の深さが必要になる。なお、日本で溝深さが浅いのは、細線をわざとはみ出させることで、細線をクッション材として使用しているからである。係止溝からはみ出している細線に周縁からの衝撃が加わるため、側方向からの衝撃に強くなる。欧米で細線を係止溝からはみ出させないのは、ファッション性を重視しているためである。
【０００５】
このような係止溝の溝幅が狭すぎると細線が係入せず、レンズの支持が不安定になり、レンズがフレームから脱落し易くなる。一方、溝幅が広い場合は、細線に遊びが生じるため、溝壁との擦れにより劣化したり断線し易くなる。
【０００６】
【特許文献１】特開２００５−２３４３８１号公報
【特許文献２】特開２０００−２４１７７１号公報
【発明の開示】
【発明が解決しようとする課題】
【０００７】
上記したように、係止溝の溝幅が細線の線径と適合していないと、レンズの支持が不安定になって脱落したり、細線自体が劣化するため、高い精度の溝加工が要求される。また、溝加工後は、溝の検査を行なう必要がある。しかしながら、従来は作業者が実際に手作業で細線を係止溝に入れてみて、その入り具合によって適正に形成されているか否かを検査しているだけで、溝を検査する手段がなかった。
【０００８】
本発明は上記した従来の問題を解決するためになされたもので、その目的とするところは眼鏡レンズの係止溝が適正に形成されているか否かを簡単かつ的確に検査することができる眼鏡レンズ用溝検査具を提供することにある。
【課題を解決するための手段】
【０００９】
上記目的を達成するために本発明は、眼鏡レンズのコバ面に形成されている係止溝と略同一の線径を有する検査用細線と、この検査用細線を緊張した状態で支持する細線支持体とを備えたものである。
【００１０】
また、本発明は、前記検査用細線が眼鏡レンズとは異なった色に着色されているものである。
【００１１】
また、本発明は、前記細線支持体が１本の線材の折り曲げによって形成されることにより、把持部と、検査用細線の各端部をそれぞれ支持する一対の支持部とを備えているものである。
【００１２】
また、本発明は、前記細線支持体が把持圧によって変形することにより前記一対の支持部の間隔が狭められるものである。
【００１３】
また、本発明は、前記細線支持体が検査用細線の検査部位に焦点が一致するルーペを備えているものである。
【００１４】
また、本発明は、前記検査用細線の各端部に接続部材が取付けられており、この接続部材を介して検査用細線を細線支持体に着脱可能に装着したものである。
【００１５】
また、本発明は、前記細線支持体に線径の異なる複数本の検査用細線を装着したものである。
【００１６】
さらに、本発明は、前記細線支持体が検査用細線を映すミラーを備えているものである。
【発明の効果】
【００１７】
レンズの係止溝が適正に形成されているか否かを検査する場合、従来は手でナイロン糸やプレートを持ち、試しにレンズの係止溝に嵌めてみる方法で検査を行っていた。これに対して、本発明は係止溝に検査用細線を係入し、レンズまたは細線を溝に沿って移動させる。このときの細線の溝への入り具合、および溝と細線との摩擦を手で感知することにより係止溝が適正に形成されているか否かを検査することができる。また、検査用細線は細線支持体に張設されているため、煩雑さが無く取り扱いおよび検査が容易である。
【００１８】
検査用細線としては、所定の線径（例えば、０．２〜０．６ｍｍ）を有する糸、金属線等が用いられる。例えば、ハーフリムタイプでナイロン糸を保持に用いるフレームに装着される眼鏡レンズの溝検査を行なう場合、そのナイロン糸と等しい太さのナイロン糸を検査用細線として用いればよい。また、フレームの種類には、レンズの外周に全周にわたって細い溝を形成し、この溝にプレートを差し込む形態のシートフレームタイプがある。このシートフレームに嵌めるレンズの係止溝は１ｍｍ程度の比較的広い幅を有している。このようなレンズの検査を行なう場合には、その溝幅と同じ太さの金属線を検査用細線として用いればよい。
【００１９】
本発明においては、眼鏡レンズの色と検査用細線の色を変えているので、検査用細線がレンズの係止溝に入り込む様子を視認し易く、検査の効率と質を高めることができる。
【００２０】
本発明においては、細線支持体に把持部を設けているので、検査具の取り扱いが容易で検査の作業性を高めることができる。
【００２１】
本発明においては、把持圧によって一対の支持部間の間隔を狭めると、検査用細線を弛ませることができる。眼鏡レンズの外周は、特殊な形状を除くと緩やかな３次元曲線で湾曲している。このため、眼鏡レンズの係止溝も３次元で湾曲している。検査時に検査用細線を予め緩ませておくと、係止溝に沿って細線を係入させ易く、係止溝の全域を一度に検査することが可能である。
【００２２】
本発明においては、細線支持体にルーペを設けているので、検査用細線の検査部位をルーペで拡大して観察することができ、係止溝に検査用細線が係入しているか否かをより正確に検査することができる。
【００２３】
本発明においては、検査用細線の端部に接続部材を設けているので、細線支持体に対して着脱自在で、断線したり、線径の異なった細線やレンズの色により異なった色の細線と変更する場合に検査用細線の交換作業が容易である。
【００２４】
本発明においては、線径の異なる複数本の検査用細線を備えているので、１つの検査具で係止溝の溝幅が異なった各種レンズを検査することができる。
【００２５】
さらに、本発明においては、細線支持体にミラーを設けているので、視認方向が制約されていて眼鏡レンズの係止溝を直接視認できないとき、ミラーに映っている検査用細線の係止溝に対する係入状態を視認することにより検査することができる。
【発明を実施するための最良の形態】
【００２６】
以下、本発明を図面に示す実施の形態に基づいて詳細に説明する。
図１は本発明に係る眼鏡レンズ用溝検査具の第１の実施の形態を示す正面図、図２は眼鏡レンズの係止溝を示す図である。これらの図において、眼鏡レンズ用溝検査具１は、眼鏡レンズ２のコバ面３に形成されている係止溝４の溝幅ｗと略同一の線径ｄを有する検査用細線５と、この検査用細線５を緊張した状態で支持する細線支持体６とで構成されている。
【００２７】
前記眼鏡レンズ２の係止溝４は、断面形状がＵ字状で、溝幅ｗと略等しい深さを有し、眼鏡レンズ２の全周にわたって形成されている。係止溝４の溝幅ｗは０．５ｍｍである。
【００２８】
前記検査用細線５は、ナイロン糸、金属線等によって形成されている。また、検査用細線２は無色であってもよいが、眼鏡レンズ２の基材の色とは異なった色（たとえば赤色）に着色されていることがより望ましい。
【００２９】
前記細線支持体６は、適宜太さの線材を折り曲げて形成することにより、Ｕ字状の把持部６Ａと、この把持部６Ａの両端に外側に凸状に湾曲するように対設された左右一対の支持部６Ｂ、６Ｃとで構成され、両支持部６Ｂ、６Ｃの先端間に前記検査用細線５が緊張した状態で張設されている。把持部６Ａは、作業者が強く把持すると、二点鎖線で示すように内側に弾性変形し、これによって左右の支持部６Ｂ、６Ｃも内側に弾性変形し、検査用細線５を弛ませることができる。各支持部６Ｂ、６Ｃの先端部には、検査用細線５の端部を係止する係止孔が形成されている。
【００３０】
このような眼鏡レンズ用溝検査具１による係止溝４の検査は、検査者が細線支持体６の把持部６Ａを把持し、検査用細線５を検査対象の眼鏡レンズ２の係止溝４に係入させることにより行なう。検査用細線５を係入するときは、レンズ外周が３次元で湾曲しているため、検査用細線５を係止溝４に係入し易くするために、把持部６Ａを強く把持して把持部６Ａおよび支持部６Ｂ、６Ｃを内側に弾性変形させ、検査用細線５を弛ませる。次に、この状態で検査用細線５を係止溝４に係入し、把持力を弱めることにより検査用細線５にテンションを付与する。そして、この状態で検査用細線５を係止溝４に沿って移動させるか、または眼鏡レンズ２を回転させて係止溝５を全周にわたって検査する。
【００３１】
検査に際しては、検査用細線５が係止溝４に係入したときに手に伝わる感触と、係入後検査用細線５を係止溝４に沿って移動させたときの手に伝わる感触とによって係止溝４が全周にわたって適正に形成されているか否かを判断する。すなわち、検査用細線５を係止溝４に係入したときの抵抗が僅かであるときは、この状態で検査用細線５を係止溝４に沿って移動させる。そしてこのときの手に伝わる感触がほとんど変わらないときは、係止溝４が全周にわたって適正な溝幅で形成されていると判断し、部分的に手に伝わる感触が弱くなったり、反対に強くなった場合は、係止溝４の幅が部分的に広くなりすぎたり、狭すぎたりする箇所があると判断する。また、検査用細線５を係止溝４に係入したときの抵抗が大き過ぎたり、抵抗がほとんどない場合は、不適正であると判断する。なお、予め基準レンズに所定の溝幅の係止溝を形成しておき、この係止溝に対応する検査用細線５を係入したときの手に伝わる感触を検査者の手に覚えさせておくとよい。
【００３２】
このような眼鏡レンズ用溝検査具１によれば、細線支持体６の把持部６Ａを把持して検査用細線５を係止溝４に係入するだけでよいので、眼鏡レンズ用検査具１の取り扱いおよび検査を容易に行うことができる。また、検査用細線５をレンズ基材とは異なった色に着色しているので、係止溝４に対する検査用細線５の係入状態および係止溝４の形成状態を容易に確認することができ（同じ色だと何処まで係入したかが分かり難い）、検査の効率と精度を高めることができる。さらに、細線支持体６の変形によって検査用細線５を緩めることができるので、係止溝４に対して検査用細線５をレンズ周面の曲面に沿って湾曲させることができ、係止溝４に確実に係入することができる。
【００３３】
図３は本発明の第２の実施の形態を示す眼鏡レンズ用溝検査具の正面図である。
同図において、本実施の形態は、眼鏡レンズ用溝検査具１０を上記した第１の実施の形態で示した細線支持体６と、この細線支持体６の一対の支持部６Ｂ、６Ｂ間に適宜間隔をおいて張設された３本の検査用細線５ａ、５ｂ、５ｃとで構成したものである。なお、その他の構成は、上記した第１の実施の形態と同一構成部材、部分については同一符号をもって示し、その説明を省略する。
【００３４】
３本の検査用細線５ａ、５ｂ、５ｃは、それぞれ線径が例えば、０．２ｍｍ、０．４ｍｍ、０．６ｍｍで、眼鏡レンズの係止溝の溝幅に応じて使い分けられる。
【００３５】
このように、線径が異なる３本の検査用細線５ａ、５ｂ、５ｃを備えた眼鏡レンズ用溝検査具１０においては、係止溝の溝幅が異なる３種類の眼鏡レンズの溝検査に共用することができるため、眼鏡レンズ用溝検査具１０を係止溝毎に製作する必要がなく、検査具の種類を削減することができる。
【００３６】
図４は本発明の第３の実施の形態を示す眼鏡レンズ用溝検査具の正面図である。
同図において、本実施の形態は、眼鏡レンズ用溝検査具２０の細線支持体２１を線材の折り曲げ形成によってＵ字状の把持部２１Ａと、この把持部２１Ａの両端に延設された左右一対の支持部２１Ｂ、２１Ｃとで構成したものである。図において左側の支持部２１Ｂは、Ｌ字状に折り曲げ形成され、右側の支持部２１Ｃは、検査用細線５と直交する直線状に形成されている。すなわち、本実施の形態は、眼鏡レンズ用溝検査具２０の把持部２１Ａを支持部２１Ｂ側に移動させたものである。
【００３７】
このような構造からなる細線支持体２１においても把持部２１Ａを強く把持すると、支持部２１Ｂ、２１Ｃの先端間の間隔を狭めることができるので、検査用細線５を弛ませることができ、眼鏡レンズの係止溝に対して容易に係入させることができる。また、把持部２１Ａを支持部２１Ｃ側に設けておくと、係止溝が形成されている領域が直線的（例えばスクエア型のレンズの辺部）である場合に検査し易い。
【００３８】
図５は本発明の第４の実施の形態を示す眼鏡レンズ用溝検査具の正面図である。
同図において、本実施の形態は、眼鏡レンズ用溝検査具３０の細線支持体３１を線材の折り曲げ形成によって略Ｕ字状に形成することにより、直線状の把持部３１Ａと、この把持部３１Ａの両端に互いに対向するように延設された左右一対の支持部３１Ｂ、３１Ｃとで構成し、これら支持部３１Ｂ、３１Ｃの先端間に検査用細線５を緊張した状態で張設したものである。
【００３９】
このような構成からなる眼鏡レンズ用溝検査具３０によれば、把持部３１Ａを検査用細線５と略平行な直線状に形成しているので、上記した第１〜第３の実施の形態で示した検査具１、１０、２０に比べて小型化することができ、複数種の検査具を用意しても嵩張ることがなく、保管スペースを小さくすることができる。
【００４０】
図６は本発明の第５の実施の形態を示す眼鏡レンズ用溝検査具の斜視図である。
同図において、本実施の形態は、眼鏡レンズ用溝検査具４０の細線支持体４１に検査用細線５を張設するとともにルーペ４２を取付けたものである。
【００４１】
細線支持体４１は、線材の折り曲げ形成によって形成することにより、略Ｕ字状の把持部４１Ａと、この把持部４１Ａの両端に延設された左右一対の支持部４１Ｂ、４１Ｃとで構成されている。各支持部４１Ｂ、４１Ｃは、側面視略コ字状に折り曲げ形成されることにより、水平な下辺部４３ａと、この下辺部４３ａの先端より上方に垂直に折り曲げ形成された垂直辺部４３ｂと、この垂直辺部４３ｂの上端より検査者側側に折り曲げ形成された水平な上辺部４３ｃとでそれぞれ構成されており、垂直辺部４２ｂの上端間に検査用細線５が張設され、上辺部４３ｃ間に前記ルーペ４２が取付けられている。ルーペ４２は、矩形の平板状に形成され、焦点が検査用細線５によって係止溝４を検査しているときの検査部位Ｑと一致するように細線支持体４１に取付けられている。
【００４２】
このような構成からなる眼鏡レンズ用溝検査具４０においては、ルーペ４２によって検査用細線５の検査部位Ｑを拡大して見ることができるので、検査用細線５が係止溝４に係入しているいるか否かをより正確に検査することができ、特に視力の悪い作業者や溝幅が狭い極細の係止溝の検査に好適である。
【００４３】
図７は本発明の第６の実施の形態を示す眼鏡レンズ用溝検査具の正面図である。
同図において、本実施の形態は、検査用細線５の両端に接続部材５１をそれぞれ取付け、この接続部材５１を介して検査用細線５を細線支持体６に装着するようにしたものである。接続部材５１はキャップ状に形成され、細線支持体６の各支持部６Ｂ、６Ｃの先端に着脱可能に嵌着される。細線支持体６は、上記した第１、第２の実施の形態で示した細線支持体６と同一である。
【００４４】
このような構成からなる眼鏡レンズ用溝検査具５０によれば、検査用細線５の交換が容易になることから、係止溝の形状やレンズの色に対応させて検査具を変更することができる。
【００４５】
図８は本発明の第７の実施の形態を示す眼鏡レンズ用溝検査具の斜視図である。
同図において、本実施の形態は、眼鏡レンズ用溝検査具６０を線径が異なる５本の検査用細線５ａ〜５ｅと、これらの検査用細線５ａ〜５ｅを支持する細線支持体６１と、ミラー６２とで構成したものである。
【００４６】
前記細線支持体６１は、左右方向に長い矩形の底板６１Ａと、この底板６１Ａの左右両端に垂直に立設された左右一対の支持板６１Ｂ、６１Ｃとからなり、底板６１Ａの上面に前記ミラー６２が固定され、支持板６１Ｂ、６１Ｃの上端間に前記検査用細線５ａ〜５ｅが所定の感覚をおいて平行に張設されている。なお、検査用細線５ａ〜５ｅは、レンズ基材と異なる色に着色されている。
【００４７】
このような構造からなる眼鏡レンズ用溝検査具６０において、眼鏡レンズ２の係止溝４を検査するときは、上方から眼鏡レンズ２の係止溝４を任意の１本の検査用細線、例えば細線５ａに押し付けて係入させる。眼眼レンズ２が検査用細線５ａの上方に位置していると、検査用細線５ａが係止溝４に係入している状態を直接視認することができないが、ミラー６２に映っている係止溝４と検査用細線５ａとを見ることにより、係止溝４の形成状態を間接的に検査することができる。
【００４８】
なお、本願発明は上記した実施の形態に何ら特定されるものではなく、本発明の要旨を逸脱しない範囲内において種々の変形、変更が可能である。例えば、細線支持体を例えば正面視Ｂ字状、Ｙ字状、コ字状等に形成してもよい。
【図面の簡単な説明】
【００４９】
【図１】本発明の第１の実施の形態を示す眼鏡レンズ用溝検査具の正面図である。
【図２】眼鏡レンズの係止溝を示す図である。
【図３】本発明の第２の実施の形態を示す眼鏡レンズ用溝検査具の正面図である。
【図４】本発明の第３の実施の形態を示す眼鏡レンズ用溝検査具の正面図である。
【図５】本発明の第４の実施の形態を示す眼鏡レンズ用溝検査具の正面図である。
【図６】本発明の第５の実施の形態を示す眼鏡レンズ用溝検査具の斜視図である。
【図７】本発明の第６の実施の形態を示す眼鏡レンズ用溝検査具の正面図である。
【図８】本発明の第７の実施の形態を示す眼鏡レンズ用溝検査具の斜視図である。
【符号の説明】
【００５０】
１…眼鏡レンズ用溝検査具、２…眼鏡レンズ、３…コバ面、４…係止溝、５、５ａ〜５ｅ…検査用細線、６…細線支持体、６Ａ…把持部、６Ｂ、６Ｃ…支持部、５…検査用細線、１０、２０…眼鏡レンズ用溝検査具、２１…細線支持体、２１Ａ…把持部、２１Ｂ、２１Ｃ…支持部、３０…眼鏡レンズ用溝検査具、３１…細線支持体、３１Ａ…把持部、３１Ｂ、３１Ｃ…支持部、４０…眼鏡レンズ用溝検査具、４１…細線支持体、４１Ａ…把持部、４１Ｂ、４１Ｃ…支持部、４２…ルーペ、５０…眼鏡レンズ用溝検査具、５１…接続部材、６０…眼鏡レンズ用溝検査具、６１…細線支持体、６１Ａ…底板部、６１Ｂ、６１Ｃ…支持部、６２…ミラー。
【図１】
2009109851.tif 000003
【図２】
2009109851.tif 000004
【図３】
2009109851.tif 000005
【図４】
2009109851.tif 000006
【図５】
2009109851.tif 000007
【図６】
2009109851.tif 000008
【図７】
2009109851.tif 000009
【図８】
2009109851.tif 000010